(57)【要約】【課題】簡単な操作で複数の表示端末装置に配信したいコンテンツを設定する。【解決手段】ネットワークに接続されてコンテンツを表示する複数の表示端末装置を配置してなるマルチディスプレイ装置のためのコンテンツ制御装置であって、複数の表示端末装置とネットワークを介して通信を行うことにより、複数の表示端末装置の端末情報を取得する情報取得手段と、取得された端末情報から複数の表示端末装置の位置情報と端末固有情報を解析して抽出する情報解析手段と、複数の表示端末装置に表示する再生コンテンツ情報と、再生する時刻情報とを設定する設定手段と、抽出された位置情報と設定された再生コンテンツ情報との関連付けられた情報を表示して設定する端末表示手段と、設定された再生コンテンツ情報及び時刻情報に基づいて各表示端末装置に対して再生コンテンツ情報を配信し、又は位置情報の再設定を行うための制御信号を送信する端末制御手段とを備える。【選択図】図２
2018042062.tif 000002
【特許請求の範囲】
【請求項１】
ネットワークに接続されて所定のコンテンツを表示する複数の表示端末装置をそれぞれ、所定の位置で配置して構成されたマルチディスプレイ装置のためのコンテンツ制御装置であって、
前記複数の表示端末装置と前記ネットワークを介して通信を行うことにより、前記複数の表示端末装置の端末情報を取得する情報取得手段と、
前記取得された端末情報から前記複数の表示端末装置の位置情報と端末固有情報を解析して抽出する情報解析手段と、
前記複数の表示端末装置に表示する再生コンテンツ情報と、再生する時刻情報とを設定する設定手段と、
前記抽出された位置情報と前記設定された再生コンテンツ情報との関連付けられた情報を表示して設定する端末表示手段と、
前記設定された再生コンテンツ情報及び時刻情報に基づいて、前記複数の表示端末装置に対して前記再生コンテンツ情報を配信し、又は位置情報の再設定を行うための制御信号を送信する端末制御手段とを備える、
コンテンツ制御装置。
【請求項２】
前記端末表示手段は、前記抽出された位置情報と端末固有情報を表示し、
前記端末制御手段は、所定の操作により前記位置情報が変更されたときに、該当する表示端末装置に対して前記位置情報の再設定を行うための制御信号を送信する、
請求項１記載のコンテンツ制御装置。
【請求項３】
前記端末表示手段により、前記位置情報と前記再生コンテンツ情報との関連付けられた情報を表示された場合において、所定の操作により前記再生コンテンツ情報が変更されて更新されたときに、前記端末制御手段は、前記更新後の再生コンテンツ情報を前記複数の表示端末装置に対して配信する、
請求項１又は２記載のコンテンツ制御装置。
【請求項４】
ネットワークに接続されかつ所定のコンテンツを表示する複数の表示端末装置をそれぞれ、所定の位置で配置して構成されたマルチディスプレイ装置と、
請求項１〜３のうちのいずれか１つに記載のコンテンツ制御装置とを備える、
表示システム。
【発明の詳細な説明】
【技術分野】
【０００１】
本開示は、例えばネットワークに接続された複数の表示端末装置に対して、コンテンツの表示制御を行うコンテンツ制御装置及び表示システムに関する。
【背景技術】
【０００２】
特許文献１は、複数の表示装置を用いてコンテンツを表示させるための表示システムを開示する。この表示システムは、ローカルエリアネットワーク（以下、ＬＡＮという。）上に接続された複数の通信端末を管理情報に登録し、管理対象の通信端末の状態を管理する配信管理システムと、通信端末に配信するデータの提供と通信端末制御を行う配信制御システムを備え、通信端末では制御指令に基づいてデータを表示する表示回路を備える。これにより、管理された通信端末の状態に基づいて、ユーザーが配信したいデータを通信端末に関連付けを行い各通信端末にデータを配信することが可能になる。
【先行技術文献】
【特許文献】
【０００３】
【特許文献１】特開２０１５−０７２４４６号公報
【発明の概要】
【発明が解決しようとする課題】
【０００４】
しかしながら、複数の表示端末装置を利用してマルチディスプレイ表示を行う表示システムにおいて、複数の表示端末装置に対し配信したいコンテンツを設定するためには、ユーザー操作を行う操作画面と各表示端末装置の設置位置の位置関係を合わす必要があり、各表示端末装置の固有情報（端末名、ＩＰアドレス情報など）を把握する必要があるという課題を有していた。
【０００５】
本開示は、複数の表示端末装置を利用したマルチディスプレイ表示を行う表示システムにおいて、従来技術に比較して簡単な操作で、複数の表示端末装置に対し配信したいコンテンツを設定することができるコンテンツ制御装置及び表示システムを提供する。
【課題を解決するための手段】
【０００６】
本開示の一態様にかかるコンテンツ制御装置は、ネットワークに接続されて所定のコンテンツを表示する複数の表示端末装置をそれぞれ、所定の位置で配置して構成されたマルチディスプレイ装置のためのコンテンツ制御装置であって、
前記複数の表示端末装置と前記ネットワークを介して通信を行うことにより、前記複数の表示端末装置の端末情報を取得する情報取得手段と、
前記取得された端末情報から前記複数の表示端末装置の位置情報と端末固有情報を解析して抽出する情報解析手段と、
前記複数の表示端末装置に表示する再生コンテンツ情報と、再生する時刻情報とを設定する設定手段と、
前記抽出された位置情報と前記設定された再生コンテンツ情報との関連付けられた情報を表示して設定する端末表示手段と、
前記設定された再生コンテンツ情報及び時刻情報に基づいて、前記複数の表示端末装置に対して前記再生コンテンツ情報を配信し、又は位置情報の再設定を行うための制御信号を送信する端末制御手段とを備える。
【発明の効果】
【０００７】
従って、本開示に係るコンテンツ制御装置によれば、従来技術に比較して簡単な操作で複数の表示端末装置に対し配信したいコンテンツを設定することができる。
【図面の簡単な説明】
【０００８】
【図１Ａ】実施の形態にかかるコンテンツ制御装置３０を備えた表示システムの構成例を示すブロック図
【図１Ｂ】図１Ａのコンテンツ制御装置３０の構成例を示すブロック図
【図２】図１Ｂの端末情報取得及び設定回路１０２の構成例を示すブロック図
【図３】図１Ｂの位置情報解析回路１０３の構成例を示すブロック図
【図４】図１Ｂの端末表示回路１０４の構成例を示すブロック図
【図５】図１Ｂのコンテンツスケジュール設定回路１０５の構成例を示すブロック図
【図６】図１Ｂの端末制御回路１０６の構成例を示すブロック図
【図７】図１Ａのマルチディスプレイ装置１０における複数の表示端末装置１−１，１−２，２−１，２−２の配置状態の一例を示す正面図
【図８】図１Ｂの端末情報取得及び設定回路１０２で取得された端末情報の一例を示す表
【図９】図１Ａのマルチディスプレイ装置１０の複数の表示端末装置の配置例を示す正面図
【図１０】図１Ｂの端末表示回路１０４により表示されるコンテンツ設定操作画面の一例を示す正面図
【図１１】図１Ｂの端末表示回路１０４による複数の表示端末装置の位置情報の設定変更の一例を説明するための図であって、（ａ）はマルチディスプレイ装置１０における複数の表示端末装置の配置位置を示す正面図であり、（ｂ）は位置設定操作画面の一例を示す正面図であり、（ｃ）は位置情報の設定変更後における、マルチディスプレイ装置１０における複数の表示端末装置の配置位置を示す正面図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面及び以下の説明は、当業者が本開示を十分に理解するために、提供されるのであって、これらにより特許請求の範囲に記載の主題を限定することは意図されていない。
【００１１】
従来、複数の表示端末装置を利用してマルチディスプレイ表示を行う表示システムにおいて、設置された表示端末と配信したいコンテンツを設定するためには、以下の問題点があった。
（１）ユーザー操作を行う操作画面と表示端末装置の設置位置の位置関係を合わす必要があること。
（２）各表示端末装置の通信端末としての固有情報（端末名、ＩＰアドレス情報など）を把握するための管理情報が必要になること。
（３）各表示端末装置の入れ替えなど発生した場合、表示端末装置の位置情報、コンテンツ配信情報の入れ替えをすべて同期して行う場合に手間がかかる。
【００１２】
本実施の形態では、複数の表示端末装置を利用したマルチディスプレイ表示を行う表示システムにおいて、利用する表示端末装置に設定された位置情報をもとに、ユーザーが操作するための操作画面を、表示装置の位置情報を解析し、操作画面を再構築して自動で設定を入れ替えることにより、各表示端末装置の配置状態を気にすることなく設置できるとともに、ユーザー操作による配信したいコンテンツを所定の表示端末装置に簡単に関連付けを簡単に行うことが可能なコンテンツ制御装置及び、コンテンツ制御装置を備えた表示システムを提供する。
【００１３】
（実施の形態）
以下、図１Ａ〜図１１を参照して、実施の形態を説明する。
【００１４】
［１−１．構成］
［１−１−１．コンテンツ制御装置及び表示システムの構成］
図１Ａは実施の形態にかかるコンテンツ制御装置３０を備えた表示システムの構成例を示すブロック図であり、図１Ｂは図１Ａのコンテンツ制御装置３０の構成例を示すブロック図である。
【００１５】
図１Ａにおいて、実施の形態にかかる表示システムは、複数の表示端末装置１−１〜１−Ｎ，２−１〜２−Ｎ（以下、符号の簡単化のため、総称して符号１，２を付す。）からなるマルチディスプレイ装置１０と、ＬＡＮ２０と、コンテンツ制御装置３０とを備えて構成される。ここで、表示端末装置１，２はＬＡＮ２０を介してコンテンツ制御装置３０に接続され、各表示端末装置１，２の表示画面はコンテンツ制御装置３０により制御される。
【００１６】
複数の表示端末装置１，２はそれぞれ、表示面のディスプレイと、当該ディスプレイのための表示制御装置と、当該表示制御装置及びＬＡＮ２０に接続された通信インターフェース回路とを備え、複数の表示端末装置１，２の各表示画面が行列形式で配置されてマルチディスプレイ装置１０を構成する。図１Ａの例では、２行Ｎ列の表示端末装置１，２の配置例を示す。複数の表示端末装置１，２はそれぞれ通信インターフェース回路を有し、ＬＡＮ２０を介してコンテンツ制御装置３０に接続される。図１Ａの例では、ＬＡＮ２０を用いているが、本開示はこれに限らず、インターネットワークなどの他のネットワークでもよい。
【００１７】
図１Ｂにおいて、コンテンツ制御装置３０は、通信インターフェース回路１０１と、端末情報取得及び設定回路１０２と、位置情報解析回路１０３と、端末表示回路１０４と、コンテンツスケジュール設定回路１０５と、端末制御回路１０６とを備えて構成される。
【００１８】
通信インターフェース回路１０１は、ＬＡＮ２０を介して複数の表示端末装置１，２の通信インターフェース回路と接続されて、表示すべき画像データの送受信、各表示端末装置１，２の動作を制御するための制御信号の送受信を行う。また、通信インターフェース回路１０１は端末情報取得及び設定回路１０２に接続されて所定のデータ及び制御信号の送受信を行う。端末情報取得及び設定回路１０２は各表示端末装置１，２の通信インターフェース回路と所定の手順で通信を行うことで、各表示端末装置１，２の端末固有情報（ＩＰアドレス、端末名称、位置情報などの固有情報）を、通信インターフェース回路１０１及びＬＡＮ２０を介して取得するとともに、後述する端末制御回路１０６で作成された各表示端末装置１，２に対する制御コマンドを含む制御信号を、通信インターフェース回路１０１及びＬＡＮ２０を介して、所定の表示端末装置１，２の通信インターフェース回路に対して送信する。
【００１９】
なお、各表示端末装置１，２はマルチディスプレイ装置１０を構成するために配置されたときに、そのときの位置情報が配置者により各表示端末装置１，２の通信インターフェース回路内の不揮発性メモリにおいて格納されているものとする。
【００２０】
位置情報解析回路１０３は端末情報取得及び設定回路１０２に接続され、端末情報取得及び設定回路１０２で取得した端末情報をもとに、各表示端末装置１，２の端末名と位置情報から各表示端末装置１，２の配置位置解析を行う。
【００２１】
端末表示回路１０４は位置情報解析回路１０３に接続され、位置情報解析回路１０３で解析して抽出した各表示端末装置１，２の位置情報をもとに、ユーザー操作を行うための操作画面情報を作成するとともに、コンテンツスケジュール設定回路１０５で予め登録された配信するコンテンツ情報をもとに、所定の端末に配信したいコンテンツ情報の関連付けを行う配信コンテンツリスト画面の作成を行う。ここで、端末表示回路１０４は、端末表示回路１０４で作成された表示端末装置１，２の位置情報を示す操作画面と、各表示端末装置１，２に関連付けられたコンテンツ情報を設定する情報を確定した時点で、端末制御回路１０６に各表示端末装置１，２に配信する配信情報を出力する。端末制御回路１０６は、端末表示回路１０４の設定情報をもとに、各表示端末装置１，２に配信するコンテンツ情報及び端末情報から特定の表示端末装置１，２を制御するために必要な制御コマンドを設定する。
【００２２】
端末表示回路１０４は、各表示端末装置１，２に配信するコンテンツ情報を関連付ける方法以外に、表示端末装置１，２の現在の位置情報などの固有端末情報を作成表示することが可能であり、位置情報と操作画面に不整合がある場合、又は並び替えを行いたい場合、変更したい表示端末装置の位置情報をユーザー操作により変更し、変更内容は端末制御回路１０６を経由して表示端末装置１，２を制御する。なお、表示端末装置１，２の配置位置を物理的に変更せず、現状の配置位置のままマルチディスプレイ表示行うために位置情報の設定する操作を行ってもよい。
【００２３】
［１−１−２．端末情報取得及び設定回路の構成］
図２は図１Ｂの端末情報取得及び設定回路１０２の構成例を示すブロック図である。図２において、端末情報取得及び設定回路１０２は、通信情報取得及び設定回路２０１と、取得情報抽出回路２０２と、送信コマンド作成回路２０３とを備えて構成される。
【００２４】
図２において、通信情報取得及び設定回路２０１は通信インターフェース回路１０１に接続され、ＬＡＮ２０上に接続された各表示端末装置１，２の端末固有情報を定期的に（所定の周期で周期的に）取得する。取得情報抽出回路２０２は、通信情報取得及び設定回路２０１で取得した通信情報から、表示端末装置１，２に関連する端末固有情報（ＩＰアドレス、端末名、位置情報など）を抽出し、位置情報解析回路１０３に出力する。送信コマンド作成回路２０３は、端末制御回路１０６から出力される各表示端末装置１，２の制御コマンドを含む制御信号を対象表示端末装置１，２に送信するための送信コマンドを作成して通信情報取得及び設定回路２０１を介して通信インターフェース回路１０１に出力する。送信コマンド作成回路２０３は、端末制御回路１０６から出力された制御コマンドに優先送信情報など、データ送信に固有情報がある場合は、優先順位に従って、作成した送信コマンドを通信情報取得及び設定回路２０１を介して通信インターフェース回路１０１に出力する順序を変更することも可能である。
【００２５】
［１−１−３．位置情報解析回路の構成］
図３は図１Ｂの位置情報解析回路１０３の構成例を示すブロック図である。図３において、位置情報解析回路１０３は、端末位置情報取得回路３０１と、端末位置並び替え回路３０２とを備えて構成される。
【００２６】
図３において、端末位置情報取得回路３０１は、端末情報取得及び設定回路１０２から取得された表示端末装置１，２の端末固有情報から、ＩＰアドレス情報、位置情報など位置を特定するための情報を抽出して端末位置情報並び替え回路３０２に出力する。端末位置情報並び替え回路３０２は、端末位置情報取得回路３０１で抽出された抽出情報と、位置情報の情報形式（昇順、配列情報など）に応じて、複数の表示端末装置１，２の配置ルールを特定し、並び替えを行って更新し、その更新された並び替え情報を図４の表示画面作成回路４０１に出力する。
【００２７】
［１−１−４．端末表示回路の構成］
図４は図１Ｂの端末表示回路１０４の構成例を示すブロック図である。図４において、端末表示回路１０４は、表示画面作成回路４０１と、コンテンツ情報設定回路４０２と、ディスプレイ４０６を有する操作画面表示回路４０３と、更新設定回路４０４と、更新情報作成回路４０５とを備えて構成される。
【００２８】
図４において、表示画面作成回路４０１は、位置情報解析回路１０３から出力された表示端末装置１，２の固有情報から位置情報に応じた画面配置を示す表示操作画面を作成してその情報を操作画面表示回路４０３に出力する。コンテンツ情報設定回路４０２は、後述するコンテンツスケジュール設定回路１０５で設定された配信可能なコンテンツ情報をリスト化してその情報を操作画面表示回路４０３に出力する。操作画面表示回路４０３は、表示画面作成回路４０１で作成した表示操作画面と、コンテンツ情報設定回路４０２でリスト化されたコンテンツ情報をユーザー操作可能なディスプレイ４０６に表示し、複数の表示端末装置１，２とコンテンツリストの関連付けの操作を行えるようにする。更新設定回路４０４は、ユーザーによる操作が確定したとき更新許可情報を出力し、操作画面表示回路４０３は更新設定回路４０４の更新許可情報をもとにユーザー操作により関連付けされた表示端末装置１，２の制御情報を更新情報作成回路４０５に出力する。更新情報作成回路４０５は、操作画面表示回路４０３から出力された表示端末装置１，２の制御情報を表示端末装置更新情報として表示端末装置１，２毎に端末制御回路１０６に出力する。
【００２９】
［１−１−５．コンテンツスケジュール設定回路の構成］
図５は図１Ｂのコンテンツスケジュール設定回路１０５の構成例を示すブロック図である。図５において、コンテンツスケジュール設定回路１０５は、スケジュール作成回路５０１と、設定時間検出回路５０２と、コンテンツ情報メモリ５０３とを備えて構成される。
【００３０】
図５において、スケジュール作成回路５０１は、設定時間検出回路５０２で設定される現在の時間情報と、スケジュール実行時間情報と、コンテンツ情報メモリ５０３に蓄積された配信可能なコンテンツ情報をもとに、コンテンツの配信スケジュールを作成し、端末表示回路１０４に出力する。
【００３１】
［１−１−６．端末制御回路の構成］
図６は図１Ｂの端末制御回路１０６の構成例を示すブロック図である。図６において、端末制御回路１０６は、制御コマンド作成回路６０１と、更新情報抽出回路６０２とを備えて構成される。
【００３２】
図６において、更新情報抽出回路６０２は、端末表示回路１０４から出力された表示端末装置１，２毎に出力された表示端末装置１，２の更新情報から各表示端末装置１，２の端末固有情報と、更新に必要な制御情報を抽出して制御コマンド作成回路６０１に出力する。制御コマンド作成回路６０１は、更新情報抽出回路６０２からの制御情報に基づいて、各表示端末装置１，２に対して制御情報の種別を判断し更新情報にコマンド情報を付加し制御コマンドを作成して端末情報取得及び設定回路１０２に出力する。
【００３３】
［１−２．動作］
以上のように構成された、コンテンツ制御装置３０を備えた表示システムについて、その動作の詳細を図７〜図１１を参照して説明する。
【００３４】
［１−２−１．表示端末装置の位置情報の取得］
図７は図１Ａのマルチディスプレイ装置１０における複数の表示端末装置１−１，１−２，２−１，２−２の配置状態の一例を示す正面図である。図７では、一例として４台の表示端末装置１−１，１−２，２−１，２−２を上下左右に配置した場合の例を示す。ここで、各表示端末装置１−１，１−２，２−１，２−２の位置情報を以下のように設定する。
（１）表示端末装置１−１の位置情報：Ｐ１−１；
（２）表示端末装置１−２の位置情報：Ｐ１−２；
（３）表示端末装置２−１の位置情報：Ｐ２−１；
（４）表示端末装置２−２の位置情報：Ｐ２−２。
【００３５】
端末情報取得及び設定回路１０２は、ＬＡＮ２０に接続された複数の表示端末装置１−１，１−２，２−１，２−２から、表示端末装置の通信端末としての端末固有情報、位置情報などを取得し、取得した結果の端末情報を図８のごとくリストにまとめる。
【００３６】
図８は図１Ｂの端末情報取得及び設定回路１０２で取得された端末情報の一例を示す表である。図８に示すように、一例として、表示端末装置名、端末固有情報（ＩＰアドレス）、位置情報をリスト化した端末情報を示す。なお、端末固有情報には、ほかにも表示端末装置１，２毎に設定された情報、例えば物理アドレスや、マルチディスプレイ装置１０を構成するためのマスター／スレーブ設定などの情報も取得することが可能である。
【００３７】
図９は図１Ａのマルチディスプレイ装置１０の複数の表示端末装置の配置例を示す正面図である。図９では、表示端末装置１，２が図７の４台よりも多くなった場合の配置例を示す。図９において、Ｍ×Ｎ個の表示端末装置１−１〜Ｍ−Ｎを位置情報Ｐ１−１〜ＰＭ−Ｎの位置に配置した場合の例を示す。この場合、端末情報取得及び設定回路１０２ではＭ×Ｎ個の表示端末装置１−１〜Ｍ−Ｎのリストが作成されることになる。
【００３８】
図１０は図１Ｂの端末表示回路１０４により表示されるコンテンツ設定操作画面の一例を示す正面図である。図１０の操作画面は、再生コンテンツ配信リスト表示５１と、配置表示５２と、コンテンツ設定ボタン５３とを含む。このコンテンツ設定操作画面の一例では、位置情報解析回路１０３で抽出した各表示端末装置１−１〜２−２の位置情報から、上下左右の最大個数を算出し、ユーザー操作画面のインターフェースの配置表示を作成する。
【００３９】
端末表示回路１０４は、抽出した表示端末装置１−１〜２−２の位置情報に基づいて、配置表示５２のごとく割り付ける。また、端末表示回路１０４は、コンテンツスケジュール設定回路１０５で設定された配信可能なコンテンツ情報を取得し、再生コンテンツ配信リスト表示５１として図１０のごとく表示する。ここで、各表示端末装置１−１〜２−２に関連付ける再生コンテンツはユーザー操作で変更可能であって、図１０のコンテンツ設定ボタン５３を押下するまで変更することができる。ユーザーがコンテンツ設定ボタン５３を押下したとき、更新設定回路４０４で更新許可情報を発行し、各表示端末装置１−１〜２−２に表示する再生コンテンツを更新情報として端末制御回路１０６に出力する。これに応答して、端末制御回路１０６は、設定された再生コンテンツ情報及び時刻情報に基づいて、再生コンテンツ情報を、端末情報取得及び設定回路１０２、通信インターフェース回路１０１及びＬＡＮ２０を介して各表示端末装置１−１〜２−２に所定の通信コマンドを用いて送信する。
【００４０】
図１１は図１Ｂの端末表示回路１０４による複数の表示端末装置の位置情報の設定変更の一例を説明するための図であって、図１１（ａ）はマルチディスプレイ装置１０における複数の表示端末装置の配置位置を示す正面図であり、図１１（ｂ）は位置設定操作画面の一例を示す正面図であり、図１１（ｃ）は位置情報の設定変更後における、マルチディスプレイ装置１０における複数の表示端末装置の配置位置を示す正面図である。
【００４１】
図１１（ａ）に示すように、各表示端末装置１−１〜２−２がそれぞれ位置情報Ｐ１−１〜Ｐ２−２の位置で配置されている場合、図１１（ｂ）のコンテンツ設定操作画面が、ユーザー操作を行うためのユーザーインターフェースであるディスプレイ４０６に表示される。図１１（ｂ）のコンテンツ設定操作画面から明らかなように、表示端末装置１−２，２−１の位置情報が間違っていることが判断でき、表示端末装置１−２，２−１に設定されている位置情報をユーザー操作により配置表示６２を利用してマウスなどのドラッグなどにより入れ替えることにより位置情報の変更を行うことができる。
【００４２】
配置位置を入れ換えた後に、位置設定ボタン６３を押下することにより、更新設定回路４０４から更新許可情報が発行され、位置情報変更情報として、対象の表示端末装置２−１．２−２に対しての更新情報を端末表示回路１０４から出力することができる。コンテンツ情報の配信と同様に、端末制御回路１０６により所定の送信コマンドを作成し、端末情報取得及び設定回路１０２、通信インターフェース回路１０１及びＬＡＮ２０を介して各表示端末装置１−２，２−１に送信することで、図１１（ｃ）のごとく該当表示端末装置１−２，２−１の位置情報を変更することが可能になる。
【００４３】
［１−３．効果等］
以上説明したように、本実施の形態にかかるコンテンツ制御装置３０を備えた表示システムによれば、ＬＡＮ２０に接続された複数の表示端末装置１，２を用いてマルチディスプレイ装置１０を構築する場合において、個々の表示端末装置１，２の位置情報及び端末固有情報を取得し、取得した位置情報をもとに、ユーザー操作するための操作画面を作成することで、配置された表示端末装置１，２の位置情報及び配置情報を簡単に把握することができる。
【００４４】
また、本実施の形態にかかるコンテンツ制御装置３０を備えた表示システムによれば、配置された表示端末装置１，２に配信するコンテンツ情報を関連付けること、またスケジュール機能をもとに所定時間になると端末制御を行うことで、より簡単にコンテンツを再生制御することが可能になる。
【００４５】
また、本実施の形態にかかるコンテンツ制御装置３０を備えた表示システムによれば、現在の表示状態の情報（位置情報など）を操作画面のディスプレイ４０６に表示することで、設置位置が間違っていてもユーザー操作で簡単に設置情報を変更することができ、操作画面と表示装置の関連を明確にすることが可能となる。
【００４６】
（他の実施の形態）
以上のように、本出願において開示する技術の例示として、実施の形態を説明した。しかしながら、本開示における技術は、これに限定されず、変更、置き換え、付加、省略などを行った実施の形態にも適用できる。また、前記実施の形態で説明した各構成要素を組み合わせて、新たな実施の形態とすることも可能である。
【００４７】
そこで、以下、他の実施の形態を例示する。
【００４８】
実施の形態では、マルチディスプレイ装置１０を構成する表示システムの一例として表示端末装置が４台の場合についてその操作画面表示方法を説明した。ＬＡＮ２０に接続された表示端末装置１，２だけでなく通信端末装置を特定することに利用することも可能である。また、実施の形態で説明したＭ×Ｎの位置情報Ｐ１−Ｎ〜ＰＭ−Ｎを設定した表示端末装置１−１〜Ｍ−Ｎではなく、表示端末装置１−１〜Ｍ−Ｎを特定するためのＩＤ情報から所定の規則に従って操作画面を構築することも可能であり、ユーザー操作又は使用用途に応じて表示画面を構築してもよい。
【００４９】
なお、上述の実施の形態は、本開示における技術を例示するためのものであるから、特許請求の範囲又はその均等の範囲において種々の変更、置き換え、付加、省略などを行うことができる。
【産業上の利用可能性】
【００５０】
本開示は、マルチディスプレイを構成するシステムのコンテンツ配信を行うコンテンツ配信制御装置に適用可能である。特に、表示端末装置の設定状態を特定することなく、表示端末装置に再生コンテンツ情報を容易に関連付けることに有効である。また、表示端末装置の位置情報をユーザー操作による操作画面から操作して入れ替え表示端末装置の設定を変更することで、表示端末装置の再設置する手間を省くことが可能である。
【符号の説明】
【００５１】
１−１〜１−Ｎ，２−１〜２−Ｎ  表示端末装置
１０  マルチディスプレイ装置
２０  ローカルエリアネットワーク（ＬＡＮ）
３０  コンテンツ制御装置
５１  再生コンテンツ配信リスト表示
５２  表示端末装置の配置表示
５３  コンテンツ設定ボタン
６１  位置情報データ表示
６２  表示端末装置の配置表示
６３  位置設定ボタン
１０１  通信インターフェース回路
１０２  端末情報取得及び設定回路
１０３  位置情報解析回路
１０４  端末表示回路
１０５  コンテンツスケジュール設定回路
１０６  端末制御回路
２０１  通信情報取得及び設定回路
２０２  取得情報抽出回路
２０３  送信コマンド作成回路
３０１  端末位置情報取得回路
３０２  端末位置並び替え回路
４０１  表示画面作成回路
４０２  コンテンツ情報設定回路
４０３  操作画面表示回路
４０４  更新設定回路
４０５  更新情報作成回路
４０６  ディスプレイ
５０１  スケジュール作成回路
５０２  設定時間検出回路
５０３  コンテンツ情報メモリ
６０１  制御コマンド作成回路
６０２  更新情報抽出回路
【図１Ａ】
2018042062.tif 000003
【図１Ｂ】
2018042062.tif 000004
【図２】
2018042062.tif 000005
【図３】
2018042062.tif 000006
【図４】
2018042062.tif 000007
【図５】
2018042062.tif 000008
【図６】
2018042062.tif 000009
【図７】
2018042062.tif 000010
【図８】
2018042062.tif 000011
【図９】
2018042062.tif 000012
【図１０】
2018042062.tif 000013
【図１１】
2018042062.tif 000014